(57)【特許請求の範囲】
【請求項１】
本体に設けられた吸込口と吹出口を結ぶ空気通路に、熱交換器とクロスフローファンとを設け、前記クロスフローファンの側部に、同クロスフローファンを駆動する第一駆動モータと、前記吹出口に設けられた上下風向板を駆動する第二駆動モータと、電装部とを夫々設けてなる空気調和機において、
前記電装部が、前記第一駆動モータおよび第二駆動モータを夫々取り付ける第一取付部および第二取付部を備えた電装箱と、同電装箱に前後にスライドして着脱自在に被着され、前記第一駆動モータの背面に対向して配置される第一基板と、前記第二駆動モータの近傍に配置される第二基板とを備えた電装蓋とで構成される左右に分割された電装品モジュールとしてユニット化されており、
前記第一取付部が、前記第一駆動モータの駆動軸を挿通する挿通孔を備え、同第一駆動モータの前面部を収容し位置決めする第一位置決め部と、背面部を支持するように前記電装箱に取り付けられるモータクランパとで構成されてなることを特徴とする空気調和機。
【請求項２】
前記モータクランパが、前記第一駆動モータの背面部を支持する支持部と、同支持部の両側およびこれに対応する前記電装箱に設けられた係止部とで構成されてなることを特徴とする請求項１に記載の空気調和機。
【請求項３】
前記第二取付部が、前記第二駆動モータの駆動軸を挿通する挿通孔を備え、同第二駆動モータの前面部を収容し位置決めする第二位置決め部と、同第二位置決め部の近傍に設けられ、前記第二駆動モータの脚部に対応するねじ孔を備えた取付部とで構成されてなることを特徴とする請求項１に記載の空気調和機。
【発明の詳細な説明】
【０００１】
【発明の属する技術分野】
本発明は、空気調和機に係わり、より詳細には、電装部をユニット化した電装品モジュールの構造に関する。
【０００２】
【従来の技術】
従来の壁掛け式の空気調和機は、例えば図１と、図５とで示すように、壁面に固着された据付板Ａの上部に設けられた係止爪Ｂに、ベースａの前部に吸込グリルｂを備えた前面パネルｃが装着されてなる本体Ｄが、その背面上部に設けられた係止部Ｃが係止され固定されるようになっていた。
【０００３】
前記本体Ｄの前面上部および上面には吸込口１を、前面下部には左右風向板群３および上下風向板４を備えた吹出口２を夫々設け、前記吸込口１と前記吹出口２とを結ぶ空気通路に、フィルタｄと、下部にドレンパン５を備え、前部熱交換器6aおよび後部熱交換器6bにより側面視で逆略Ｖ字状に折曲形成された熱交換器６と、クロスフローファン７とを設け、同クロスフローファン７の側部には、同クロスフローファン７を駆動する第一駆動モータ８と、前記上下風向板４を駆動する第二駆動モータ９と、電装部10とを夫々設けてなる構成であった。
【０００４】
しかしながら、前記第一駆動モータ８および前記第二駆動モータ９が、前記電装部10の背面下部に取り付けられる構成であるため組立時の作業性が悪いという問題を有していた。
【０００５】
また、前記電装部10内に備えた図示しない基板を取り出しにくいためメンテナンス性が悪いことから、前記電装部の構造を簡素化し、前記第一駆動モータおよび前記第二駆動モータを容易に取付できるようにするとともに、前記電装部10内の基板を容易に取り出せるようにすることが望まれていた。
【０００６】
【発明が解決しようとする課題】
本発明においては、上記の問題点に鑑み、電装部がユニット化されてなる電装品モジュールを備えた空気調和機を提供することを目的とする。
【０００７】
【課題を解決するための手段】
本発明は、上記課題を解決するため、本体に設けられた吸込口と吹出口を結ぶ空気通路に、熱交換器とクロスフローファンとを設け、前記クロスフローファンの側部に、同クロスフローファンを駆動する第一駆動モータと、前記吹出口に設けられた上下風向板を駆動する第二駆動モータと、電装部とを夫々設けてなる空気調和機において、
前記電装部が、前記第一駆動モータおよび第二駆動モータを夫々取り付ける第一取付部および第二取付部を備えた電装箱と、同電装箱に前後にスライドして着脱自在に被着され、前記第一駆動モータの背面に対向して配置される第一基板と、前記第二駆動モータの近傍の配置される第二基板とを備えた電装蓋とで構成される左右に分割された電装品モジュールとしてユニット化され、
前記第一取付部が、前記第一駆動モータの駆動軸を挿通する挿通孔を備え、同第一駆動モータの前面部を収容し位置決めする第一位置決め部と、背面部を支持するように前記電装箱に取り付けられるモータクランパとで構成された構成となっている。
【０００９】
また、前記第一取付部が、前記第一駆動モータの駆動軸を挿通する挿通孔を備え、同第一駆動モータの一方側となるクロスフローファン側を収容し位置決めする第一位置決め部と、同第一駆動モータの他方側を支持するように前記電装箱に取り付けられるモータクランパとで構成されている。
【００１２】
更に、前記第二取付部が、前記第二駆動モータの駆動軸を挿通する挿通孔を備え、同第二駆動モータの外形前部を収容し位置決めする第二位置決め部と、同第二位置決め部の近傍に設けられ、前記第二駆動モータの脚部に対応するねじ孔を備えた取付部とで構成されている。
【００１３】
【発明の実施の形態】
以下、本発明の実施の形態を図面に基づいた実施例として詳細に説明する。
図１は本発明による空気調和機の断面図であり、図２は本発明による空気調和機の分解斜視図であり、図３は本発明による空気調和機の要部説明図で、（Ａ）は第一駆動モータの取付状態を示す分解斜視図、（Ｂ）は第二駆動モータの取付状態を示す分解斜視図、（Ｃ）は（Ｂ）で示すＢ矢視図であり、図４は電装品モジュールの分解斜視図で、（Ａ）は第一駆動モータおよび第二駆動モータの取付側を示す図であり、（Ｂ）は（Ａ）で示すＡーＡ断面図であり、（Ｃ）は第一基板および第二基板の取付側を示す図である。
【００１４】
本発明による空気調和機は、図１で示すように、壁面に固着された据付板Ａの係止爪Ｂに係止され固定される係止部Ｃを背面上部に備え、断熱部材からなるケーシングカバーｅが接合されるベースａと、同ベースａの前部に装着される吸込グリルｂを備えた前面パネルｃとで本体Ｄが構成されている。
【００１５】
そして、前記ベースａの一部を前記据付板Ａが兼ねた構成となっており、これらベースａと据付板Ａとの接合部にシール部材Ｅを介在させており、これによって前記ベースａおよび製作用の金型を小型化させることができるようになっている。
【００１６】
前記本体Ｄの前面上部および上面には吸込口１が設けられ、前面下部には左右風向板群３および上下風向板４を夫々備えた吹出口２が設けられている。
【００１７】
前記吸込口１と前記吹出口２とを結ぶ空気通路には、フィルタｄと、下部にドレンパン５を備え、前部熱交換器6aおよび後部熱交換器6bにより側面視で逆略Ｖ字状に折曲形成された熱交換器６と、クロスフローファン７とが順次設けられており、前記吸込口１から吸い込まれ、前記熱交換器６により熱交換された空気が前記吹出口２から被空調室に送出されることによって快適な空気調和が行われる。
【００１８】
ここで、本発明による前記空気調和機本体Ｄが組み立てられる手順について、図２に基づいて説明する。
【００１９】
前記ケーシングカバーｅが背面に接合された前記ベースａの両側部に、前記クロスフローファン７の回転軸を回転自在に軸支したのち、前記据付板Ａの係止爪Ｂに係止される係止部Ｃを背面に備えた側板ｆを上部から接合し、同側板ｆによって前記熱交換器６の両側部を支持し、前記ベースａの下位部に連続形成された前記吹出口２に、左右風向板群３と、上下風向板４とを夫々組み付けるようになっている。
【００２０】
そして次に、前記クロスフローファン７の側部に、電装部10が組み付けられるようになっている。
【００２１】
前記電装部10は、図３（Ａ）乃至図３（Ｂ）で示すように、前記クロスフローファン７を駆動する第一駆動モータ８と、前記上下風向板４を駆動し所定の角度に回動するステッピングモータからなる第二駆動モータ９とを夫々取り付ける第一取付部11と、第二取付部12とを備えた電装箱13と、同電装箱13に前後にスライドして着脱可能に被着され、図４（Ａ）乃至図４（Ｂ）で示すように、前記第一駆動モータ８の背面に平行な第一基板14を備え、前記第二駆動モータ９の近傍に第二基板15を備えた電装蓋16とで構成され、左右に分割された電装品モジュール17としてユニット化されている。
【００２２】
前記電装蓋16は、図２で示す矢印ａのように、前方にスライドさせることにより前記電装箱13の前面、上面および一側面を解放できるようになっており、前記第一取付部11および前記第二取付部12に取り付けられた前記第一駆動モータ８および前記第二駆動モータ９を剥き出しにできるようになってメンテナンスしやすくなる。
また、前記第一駆動モータ８および前記第二駆動モータ９を取り付け、または取り外す場合にも、これらの取り付け箇所が剥き出しになっているので作業性は良好となる。
【００２３】
また、前記電装蓋16を前方にスライドさせて前記電装箱13から離脱させた際、前記第一基板14および前記第二基板15を、前記電装蓋16と一緒に引き出すことができるようになってメンテナンスしやすくなる。
【００２４】
また、前記第一駆動モータ８および前記第二駆動モータ９の電源コードを一緒に引回しできるようになっているので便利である。
【００２５】
次に、前記ベースａの前部に、前記吸込グリルｂを前面に備え、内側に前記フィルタｄを備えた前記前面パネルｃを装着して、被空調室の壁面に固着された据付板Ａの係止爪Ｂに、前記側板ｆの背面に備えた前記係止部Ｃを係止して前記本体Ｄが据付固定されるようになっている。
【００２６】
なお、前記第一取付部11は、図３（Ａ）で示すように、前記第一駆動モータ８の駆動軸8aを挿通する挿通孔18を備え、同第一駆動モータ８の外形前部を収容し位置決めする第一位置決め部19と、背面部を支持するように前記電装箱13に取り付けられるモータクランパ20とで構成されている。
【００２７】
また、図４（Ａ）および図４（Ｂ）で示すように、前記係止部20b 近傍の前記モータクランパ20にダボ穴20c を設ける一方、前記電装箱13に設けられたダボ13a を前記ダボ穴20c に挿入係止するようにしているので、前記第一駆動モータ８の背面部を支持するための前記モータクランパ20を正確に、且つ強固に固定できるようになる。
【００２８】
また、前記ダボ穴20c が、図４（Ｂ）で示すようにバーリング穴からなる構成になっているので、前記ダボ13a を離脱させないように正確に係止できる。
【００２９】
また、図３（Ｂ）および図３（Ｃ）で示すように、前記第二取付部12が、前記第二駆動モータ９の駆動軸9aを挿通する挿通孔21を備え、前記第二駆動モータ９の外形前部を収容し位置決めする第二位置決め部22と、同第二位置決め部22の近傍に設けられ、前記第二駆動モータ９の脚部に対応するねじ孔23を備えた取付部24とで構成されている。
【００３０】
これにより、前記第二駆動モータ９が、前記第二位置決め部22で位置決めされた状態で、前記第二駆動モータ９の脚部の取付孔を挿通したねじを前記ねじ孔23に螺着し固定できるようにした構成となり、ねじ締め時の位置合わせが容易になって作業性を向上できる。
【００３１】
【発明の効果】
以上説明したように、本発明によれば、電装部がユニット化されてなる電装品モジュールを備えた空気調和機となる。
【図面の簡単な説明】
【図１】本発明による空気調和機の断面図である。
【図２】本発明による空気調和機の分解斜視図である。
【図３】本発明による空気調和機の要部説明図で、（Ａ）は第一駆動モータの取付状態を示す分解斜視図であり、（Ｂ）は第二駆動モータの取付状態を示す分解斜視図であり、（Ｃ）は（Ｂ）で示すＢ矢視図である。
【図４】電装品モジュールの分解斜視図で、（Ａ）は第一駆動モータおよび第二駆動モータの取付側を示す図であり、（Ｂ）は（Ａ）で示すＡーＡ断面図であり、（Ｃ）は第一基板および第二基板の取付側を示す図である。
【図５】従来例による空気調和機の透過斜視図である。
【符号の説明】
Ａ  据付板
Ｂ  係止爪
Ｃ  係止部
Ｄ  空気調和機本体
Ｅ  シール部材
ａ  ベース
ｂ  吸込グリル
ｃ  前面パネル
ｄ  フィルタ
ｅ  ケーシングカバー（断熱部材）
ｆ  側板
１  吸込口
２  吹出口
３  左右風向板群
４  上下風向板
５  ドレンパン
６  熱交換器
6a  前部熱交換器
6b  後部熱交換器
７  クロスフローファン
８  第一駆動モータ
8a  駆動軸
９  第二駆動モータ
9a  駆動軸
10  電装部
11  第一取付部
12  第二取付部
13  電装箱
13a ダボ
14  第一基板
15  第二基板
16  電装蓋
17  電装品モジュール
18  挿通孔
19  第一位置決め部
20  モータクランパ
20a 支持部
20b 係止部
20c ダボ孔
21  挿通孔
22  第二位置決め部
23  ねじ孔
24  取付部
【図１】
0004797262.tif 000002
【図２】
0004797262.tif 000003
【図３】
0004797262.tif 000004
【図４】
0004797262.tif 000005
【図５】
0004797262.tif 000006